(57)【特許請求の範囲】
【請求項１】
ファイバを巻き取るリールと、上記リールを取り付ける取付パネルとを備えた光ファイバ余長処理装置において、上記リールを上記取付パネルの所定位置に導くためのスリット状の溝を上記取付パネルに施すとともに、上記リールを上記溝に入れ込むための切り欠きを上記取付パネルにおける上記スリット状の溝に施し、上記リールを上記取付パネルの所定位置に固定する締結部材を上記リールに設けたことを特徴とするファイバ余長処理装置。
【請求項２】
ファイバは光ファイバであることを特徴とする請求項１記載のファイバ余長処理装置。
【請求項３】
リールは光ファイバの伝送特性を保証する曲げ半径を有することを特徴とする請求項１又は請求項２記載のファイバ余長処理装置。
【請求項４】
弾性部材を用いて締結部材を構成することを特徴とする請求項１から請求項３のうちのいずれか１項記載のファイバ余長処理装置。
【請求項５】
スリット状の溝に切り欠きを施すとともに、上記切り欠きと嵌合する嵌め込み部をリールに設けたことを特徴とする請求項１から請求項４のうちのいずれか１項記載のファイバ余長処理装置。
【請求項６】
締結部材はリールであり、
上記リールは、このリールの軸をカム状にして、そのリールの軸が上記溝の側面に対して突っ張ることを特徴とする請求項１記載のファイバ余長処理装置。
【請求項７】
取付パネルに対するリールの固定強度を高める突起を上記リールの固定片に設けたことを特徴とする請求項１から請求項６のうちのいずれか１項記載のファイバ余長処理装置。
【請求項８】
ファイバを巻き取るリールと、上記リールを取り付ける取付パネルとを備えた光ファイバ余長処理装置において、上記リールを上記取付パネルの所定位置に導くためのスリット状の溝を上記取付パネルに施すとともに、上記リールの固定片の幅を上記スリット状の溝の幅より小さくすることにより、上記溝に対する上記リールの入れ込みを可能にして、上記リールを上記取付パネルの所定位置に固定する締結部材を上記リールに設けたことを特徴とするファイバ余長処理装置。
【請求項９】
光ファイバの巻回方向と水平な方向以外の方向に対して、上記ファイバの配線方向の変更を可能にする鍔をリールに設けたことを特徴とする請求項１から請求項８のうちのいずれか１項記載のファイバ余長処理装置。
【発明の詳細な説明】
【０００１】
【発明の属する技術分野】
この発明は、光伝送装置に接続される光ファイバの余長分を巻回して収容する光ファイバ余長処理装置に関するものである。
【０００２】
【従来の技術】
近年の光伝送装置の普及により、大型の光伝送装置では大量の光ファイバが収容されている。
図９は例えば特開平６−２０８０２４号公報に示された従来の光ファイバ余長処理装置を示す斜視図であり、図において、１は光ファイバ１０を巻き取る余長処理部、２は余長処理部１を取り付ける専用取付パネル、３は余長処理部１を専用取付パネル２の所定位置に導くためのスリット状の長溝、１０は光ファイバ、１１は光伝送装置である。
【０００３】
次に動作について説明する。
従来の光ファイバ余長処理装置においては、専用取付パネル２に対してスリット状の長溝３が上下方向に形成され、この長溝３に余長処理部１を嵌合させて固定する。
長溝３に嵌合された余長処理部１は、長溝３に沿って上下方向に移動することが可能であるため、任意の位置に簡単に固定することができる。したがって、光ファイバ１０の余長分に応じた最適な余長処理が可能になる。
【０００４】
【発明が解決しようとする課題】
従来の光ファイバ余長処理装置は以上のように構成されているので、光ファイバ１０の余長分に応じた最適な余長処理を実施することができるが、新たに余長処理部１を追加する場合、専用取付パネル２の正面側と裏面側から取付作業を実施しなければならない。したがって、専用取付パネル２の裏面側において容易に作業できる環境にない場合には、装置を解体しなければ、新たに余長処理部１を追加することができない課題があった。
また、光ファイバ１０の巻回方向と水平な方向以外の方向に対して、光ファイバ１０の配線方向を変更することができない課題があった。
【０００５】
この発明は上記のような課題を解決するためになされたもので、余長処理部であるリールを簡単に増設することができる光ファイバ余長処理装置を得ることを目的とする。
また、この発明は、光ファイバの配線方向を任意の方向に変更することができる光ファイバ余長処理装置を得ることを目的とする。
【０００６】
【課題を解決するための手段】
この発明に係るファイバ余長処理装置は、  ファイバを巻き取るリールと、上記リールを取り付ける取付パネルとを備えた光ファイバ余長処理装置において、上記リールを上記取付パネルの所定位置に導くためのスリット状の溝を上記取付パネルに施すとともに、上記リールを上記溝に入れ込むための切り欠きを上記取付パネルにおける上記スリット状の溝に施し、上記リールを上記取付パネルの所定位置に固定する締結部材を上記リールに設けたものである。
【０００７】
この発明に係るファイバは光ファイバとしたものである。
この発明に係るファイバ余長処理装置は、リールが光ファイバの伝送特性を保証する曲げ半径を有するようにしたものである。
【０００８】
この発明に係るファイバ余長処理装置は、弾性部材を用いて締結部材を構成するようにしたものである。
【０００９】
この発明に係るファイバ余長処理装置は、スリット状の溝に切り欠きを施すとともに、その切り欠きと嵌合する嵌め込み部をリールに設けたものである。
【００１０】
この発明に係るファイバ余長処理装置は、締結部材はリールであり、リールの軸をカム状にして、そのリールの軸が溝の側面に対して突っ張るようにしたものである。
【００１１】
この発明に係るファイバ余長処理装置は、取付パネルに対するリールの固定強度を高める突起をリールの固定片に設けたものである。
【００１２】
この発明に係るファイバ余長処理装置は、ファイバを巻き取るリールと、上記リールを取り付ける取付パネルとを備えた光ファイバ余長処理装置において、上記リールを上記取付パネルの所定位置に導くためのスリット状の溝を上記取付パネルに施すとともに、上記スリット状の溝にリールの固定片の幅をスリット状の溝の幅より小さくすることにより、上記溝に対する上記リールの入れ込みを可能にして、上記リールを上記取付パネルの所定位置に固定する締結部材を上記リールに設けたものである。
【００１３】
この発明に係るファイバ余長処理装置は、光ファイバの巻回方向と水平な方向以外の方向に対して、その光ファイバの配線方向の変更を可能にする鍔をリールに設けたものである。
【００１４】
【発明の実施の形態】
以下、この発明の実施の一形態を説明する。
実施の形態１．
図１（ａ）はこの発明の実施の形態１による光ファイバ余長処理装置を示す平面図であり、図１（ｂ）は図１（ａ）のＡ−Ａ断面図である。図において、１は光ファイバを巻き取る余長処理部（リール）、２は余長処理部１を取り付ける専用取付パネル（取付パネル）、３は余長処理部１を専用取付パネル２の所定位置に導くためのスリット状の長溝、４は余長処理部１を長溝３に入れ込むための処理部追加口であり、処理部追加口４は余長処理部１の構成部品である固定片１ａの外形よりも大きい切り欠きである。
【００１５】
１ａは余長処理部１の固定片、１ｂは固定片１ａと伴にレール部２ａ，２ｂを挟み込むことにより、余長処理部１を専用取付パネル２の所定位置に固定する締結部材、２ａ，２ｂは長溝３を構成する専用取付パネル２のレール部である。
【００１６】
次に動作について説明する。
新たに余長処理部１を追加する場合、処理部追加口４から余長処理部１の固定片１ａを長溝３に入れ込む。そして、余長処理部１をレール部２ａ，２ｂに沿って上下にスライドさせることにより、余長処理部１を専用取付パネル２の所定位置まで移動させる。
上記のようにして、余長処理部１の固定位置を決定すると、締結部材１ｂを締めることにより、余長処理部１を専用取付パネル２に固定する。
これにより、光ファイバの最適な余長処理が可能になる。
【００１７】
以上で明らかなように、この実施の形態１によれば、余長処理部１を専用取付パネル２の所定位置に導くためのスリット状の長溝３を専用取付パネル２に施すとともに、余長処理部１を長溝３に入れ込むための処理部追加口４を専用取付パネル２における上記スリット状の長溝３に施し、余長処理部１を専用取付パネル２の所定位置に固定する締結部材１ｂを余長処理部１に設けたので、専用取付パネル２の裏面側からの取付作業を実施することなく、新たに余長処理部１を追加することができる。したがって、余長処理部１を簡単に増設することができる効果を奏する。
【００１８】
実施の形態２．
上記実施の形態１では、締結部材１ｂを用いて余長処理部１を専用取付パネル２に固定するものについて示したが、図２に示すように、弾性部材であるバネ１ｃを用いて締結部材を構成することにより、バネ１ｃの押圧力を利用して、余長処理部１を専用取付パネル２に固定するようにしてもよい。
これにより、上記実施の形態１よりも、余長処理部１を増設する際の作業性を高めることができる効果を奏する。
【００１９】
実施の形態３．
上記実施の形態２では、バネ１ｃの押圧力を利用して、余長処理部１を専用取付パネル２に固定するものについて示したが、図３に示すように、スリット状の長溝３、即ち、レール部２ａ，２ｂに切り欠き５を設けるとともに、その切り欠き５に嵌合させる嵌め込み部１ｄをリール１に設けるようにしてもよい。
これにより、余長処理部１に対して振動や衝撃等の大きな外力が働いても、容易に動かないようにすることができる効果を奏する。
【００２０】
実施の形態４．
上記実施の形態１では、締結部材１ｂを用いて余長処理部１を専用取付パネル２に固定するものについて示したが、図４に示すように、スリット状の長溝３に挿入される余長処理部１の軸１ｅの断面をカム状にする。そして、余長処理部１を専用取付パネル２に固定する際、余長処理部１を回転させて、余長処理部１の軸１ｅが長溝３の側面に対して突っ張るようにしてもよい。
これにより、上記実施の形態１よりも、余長処理部１を増設する際の作業性を高めることができる効果を奏する。
【００２１】
実施の形態５．
上記実施の形態４では、軸１ｅの断面がカム状の余長処理部１を回転させて固定するものについて示したが、図５に示すように、余長処理部１の固定片１ａ上に突起１ｆを設けて、突起１ｆとレール部２ａ、２ｂが突っ張ることで固定するようにしてもよい。
これにより、余長処理部１の軸方向の固定性を高めることができる効果を奏する。
【００２２】
実施の形態６．
上記実施の形態５では、余長処理部１の固定片１ａ上に突起１ｆを設けて、突起１ｆとレール部２ａ、２ｂが突っ張ることで固定するものについて示したが、図６に示すように、余長処理部１の固定片１ａの幅を長溝３の幅を小さくすることにより、長溝３の全長に渡って余長処理部１の入れ込みを可能にして、処理部追加口４を不要にしてもよい。
これにより、上記実施の形態１と同様の効果を奏する。
【００２３】
実施の形態７．
上記実施の形態１〜６では、余長処理部１の鍔が平面形状であるものについて示したが、図７及び図８に示すように、光ファイバ１０の巻回方向と水平な方向以外の方向に対して、光ファイバ１０の配線方向の変更を可能にする鍔１ｇを余長処理部１に設けるようにしてもよい。ただし、鍔１ｇは光ファイバ１０の伝送特性を保証する曲げ半径を有するものとする。
これにより、光ファイバ１０の配線方向を任意の方向に変更することができる効果を奏する。
【００２４】
【発明の効果】
以上のように、この発明によれば、リールを取付パネルの所定位置に導くためのスリット状の溝を取付パネルに施すとともに、リールを溝に入れ込むための切り欠きを取付パネルにおける上記スリット状の溝に施し、リールを取付パネルの所定位置に固定する締結部材をリールに設けるように構成したので、リールを簡単に増設することができる効果がある。
【００２５】
この発明によれば、リールが光ファイバの伝送特性を保証する曲げ半径を有するように構成したので、光ファイバの伝送特性を保証することができる効果がある。
【００２６】
この発明によれば、弾性部材を用いて締結部材を構成するようにしたので、リールを増設する際の作業性を高めることができる効果がある。
【００２７】
この発明によれば、スリット状の溝に切り欠きを施すとともに、その切り欠きと嵌合する嵌め込み部をリールに設けるように構成したので、リールに対して振動や衝撃等の大きな外力が働いても、容易に動かないようにすることができる効果がある。
【００２８】
この発明によれば、リールの軸をカム状にして、そのリールの軸が溝の側面に対して突っ張るように構成したので、リールを増設する際の作業性を高めることができる効果がある。
【００２９】
この発明によれば、取付パネルに対するリールの固定強度を高める突起をリールの固定片に設けるように構成したので、リールの軸方向の固定性を高めることができる効果がある。
【００３０】
この発明によれば、リールを取付パネルの所定位置に導くためのスリット状の溝を取付パネルに施すとともに、スリット状の溝にリールの固定片の幅をスリット状の溝の幅より小さくすることにより、その溝に対するリールの入れ込みを可能にして、リールを取付パネルの所定位置に固定する締結部材をリールに設けるように構成したので、リールを簡単に増設することができる効果がある。
【００３１】
この発明によれば、光ファイバの巻回方向と水平な方向以外の方向に対して、その光ファイバの配線方向の変更を可能にする鍔をリールに設けるように構成したので、光ファイバの配線方向を任意の方向に変更することができる効果がある。
【図面の簡単な説明】
【図１】  （ａ）はこの発明の実施の形態１による光ファイバ余長処理装置を示す平面図、（ｂ）は（ａ）のＡ−Ａ断面図である。
【図２】  （ａ）はこの発明の実施の形態２による光ファイバ余長処理装置を示す平面図、（ｂ）は（ａ）のＡ−Ａ断面図である。
【図３】  （ａ）はこの発明の実施の形態３による光ファイバ余長処理装置を示す平面図、（ｂ）は（ａ）のＡ−Ａ断面図である。
【図４】  （ａ）はこの発明の実施の形態４による光ファイバ余長処理装置を示す平面図、（ｂ）は（ａ）のＡ−Ａ断面図である。
【図５】  （ａ）はこの発明の実施の形態５による光ファイバ余長処理装置を示す平面図、（ｂ）は（ａ）のＡ−Ａ断面図である。
【図６】  （ａ）はこの発明の実施の形態６による光ファイバ余長処理装置を示す平面図、（ｂ）は（ａ）のＡ−Ａ断面図である。
【図７】  この発明の実施の形態７による光ファイバ余長処理装置を示す斜視図である。
【図８】  （ａ）は図７の光ファイバ余長処理装置の要部平面図、（ｂ）は図７の光ファイバ余長処理装置の要部断面図である。
【図９】  従来の光ファイバ余長処理装置を示す斜視図である。
【符号の説明】
１  余長処理部（リール）、１ａ  固定片、１ｂ  締結部材、１ｃ  バネ（弾性部材）、１ｄ  嵌め込み部、１ｅ  軸、１ｆ  突起、１ｇ  鍔、２  専用取付パネル（取付パネル）、２ａ，２ｂ  レール部、３  長溝、４  処理部追加口（切り欠き）、５  切り欠き、１０  光ファイバ。
【図１】
0003902409.tif 000002
【図２】
0003902409.tif 000003
【図３】
0003902409.tif 000004
【図４】
0003902409.tif 000005
【図５】
0003902409.tif 000006
【図６】
0003902409.tif 000007
【図７】
0003902409.tif 000008
【図８】
0003902409.tif 000009
【図９】
0003902409.tif 000010